(57)【要約】【課題】合紙印刷モードのときに本文印刷のページと合紙印刷のページにそれぞれ異なる色のスタンプ，ページ番号，日付等の付加情報を印字する。【解決手段】コントローラ１０は、Ｓ１〜Ｓ３で初期設定と原稿の画像の読み取りを実行すると、Ｓ８とＳ９で原稿から読み取った画像データに本文用のスタンプ印字色でスタンプ印字データを合成し、本文給紙段から記録紙を給紙して印刷し、Ｓ５とＳ６で原稿から読み取った画像データに合紙用のスタンプ印字色でスタンプ印字データを合成し、合紙給紙段から記録紙を給紙して印刷する処理を繰り返し、スタンプ付き本文とスタンプ付き合紙の印刷を交互に繰り返して全てのページの読み取りが終了したら印刷を終了する。【選択図】　　　図１２
2004102501.tif 000002
【特許請求の範囲】
【請求項１】
フルカラーモード，モノクロモード，シングルカラーモード，２色モードによってそれぞれ原稿の画像を読み取る画像読取装置と、該画像読取装置によって読み取った画像をイエロー，マゼンタ，シアン，ブラックの各色毎の画像データで記憶する画像記憶装置と、該画像記憶装置に記憶された前記各色毎の画像データを各色毎に転送する転送装置と、該転送装置によって転送された前記各色毎の画像データに基づいて前記原稿の画像を形成する画像形成装置と、該画像形成装置によって形成された画像を記録紙に印刷する印刷装置とからなる画像形成システムにおいて、
スタンプ印字機能と合紙印刷モードとを有し、前記スタンプ印字機能と前記合紙印刷モードとの設定値の組合せに基づいて合紙印刷ページを含めて全ページともスタンプ印字を行う場合、合紙印刷ページのスタンプ印字色と本文印刷ページのスタンプ印字色を変更する手段を設けたことを特徴とする画像形成システム。
【請求項２】
フルカラーモード，モノクロモード，シングルカラーモード，２色モードによってそれぞれ原稿の画像を読み取る画像読取装置と、該画像読取装置によって読み取った画像をイエロー，マゼンタ，シアン，ブラックの各色毎の画像データで記憶する画像記憶装置と、該画像記憶装置に記憶された前記各色毎の画像データを各色毎に転送する転送装置と、該転送装置によって転送された前記各色毎の画像データに基づいて前記原稿の画像を形成する画像形成装置と、該画像形成装置によって形成された画像を記録紙に印刷する印刷装置とからなる画像形成システムにおいて、
ページ印字機能と合紙印刷モードとを有し、前記ページ印字機能と前記合紙印刷モードとの設定値の組合せに基づいて合紙印刷ページのページ印字色と本文印刷ページのページ印字色を変更する手段を設けたことを特徴とする画像形成システム。
【請求項３】
フルカラーモード，モノクロモード，シングルカラーモード，２色モードによってそれぞれ原稿の画像を読み取る画像読取装置と、該画像読取装置によって読み取った画像をイエロー，マゼンタ，シアン，ブラックの各色毎の画像データで記憶する画像記憶装置と、該画像記憶装置に記憶された前記各色毎の画像データを各色毎に転送する転送装置と、該転送装置によって転送された前記各色毎の画像データに基づいて前記原稿の画像を形成する画像形成装置と、該画像形成装置によって形成された画像を記録紙に印刷する印刷装置とからなる画像形成システムにおいて、
日付印字機能と合紙印刷モードとを有し、前記日付印字機能と前記合紙印刷モードとの設定値の組合せに基づいて合紙印刷ページの日付印字色と本文印刷ページの日付印字色を変更する手段を設けたことを特徴とする画像形成システム。
【発明の詳細な説明】
【０００１】
【発明の属する技術分野】
この発明は、スタンプ印字機能，ページ印字機能，日付印字機能等の各種印字機能と合紙印刷機能とを備えた電子写真装置，デジタル複写機等の画像形成システムに関する。
【０００２】
【従来の技術】
従来、単純に表紙にスタンプを印字したり、或いは表紙以外のページにのみスタンプを印字する画像形成システムがあった（例えば、特許文献１参照）。
【０００３】
【特許文献１】
特開平８−８５２４４号公報
【０００４】
【発明が解決しようとする課題】
しかしながら、従来の画像形成システムでは、合紙印刷モードのときに本文印刷のページと合紙印刷のページにそれぞれ異なる色のスタンプ，ページ番号，日付等の付加情報を印字できないという問題があった。
この発明は上記の課題を解決するためになされたものであり、合紙印刷モードのときに本文印刷のページと合紙印刷のページにそれぞれ異なる色のスタンプ，ページ番号，日付等の付加情報を印字できるようにすることを目的とする。
【０００５】
【課題を解決するための手段】
この発明は上記の目的を達成するため、次の（１）〜（３）の画像形成システムを提供する。
（１）フルカラーモード，モノクロモード，シングルカラーモード，２色モードによってそれぞれ原稿の画像を読み取る画像読取装置と、その画像読取装置によって読み取った画像をイエロー，マゼンタ，シアン，ブラックの各色毎の画像データで記憶する画像記憶装置と、その画像記憶装置に記憶された上記各色毎の画像データを各色毎に転送する転送装置と、その転送装置によって転送された上記各色毎の画像データに基づいて上記原稿の画像を形成する画像形成装置と、その画像形成装置によって形成された画像を記録紙に印刷する印刷装置とからなる画像形成システムにおいて、スタンプ印字機能と合紙印刷モードとを有し、上記スタンプ印字機能と上記合紙印刷モードとの設定値の組合せに基づいて合紙印刷ページを含めて全ページともスタンプ印字を行う場合、合紙印刷ページのスタンプ印字色と本文印刷ページのスタンプ印字色を変更する手段を設けた画像形成システム。
【０００６】
（２）フルカラーモード，モノクロモード，シングルカラーモード，２色モードによってそれぞれ原稿の画像を読み取る画像読取装置と、その画像読取装置によって読み取った画像をイエロー，マゼンタ，シアン，ブラックの各色毎の画像データで記憶する画像記憶装置と、その画像記憶装置に記憶された上記各色毎の画像データを各色毎に転送する転送装置と、その転送装置によって転送された上記各色毎の画像データに基づいて上記原稿の画像を形成する画像形成装置と、その画像形成装置によって形成された画像を記録紙に印刷する印刷装置とからなる画像形成システムにおいて、ページ印字機能と合紙印刷モードとを有し、上記ページ印字機能と上記合紙印刷モードとの設定値の組合せに基づいて合紙印刷ページのページ印字色と本文印刷ページのページ印字色を変更する手段を設けた画像形成システム。
【０００７】
（３）フルカラーモード，モノクロモード，シングルカラーモード，２色モードによってそれぞれ原稿の画像を読み取る画像読取装置と、その画像読取装置によって読み取った画像をイエロー，マゼンタ，シアン，ブラックの各色毎の画像データで記憶する画像記憶装置と、その画像記憶装置に記憶された上記各色毎の画像データを各色毎に転送する転送装置と、その転送装置によって転送された上記各色毎の画像データに基づいて上記原稿の画像を形成する画像形成装置と、その画像形成装置によって形成された画像を記録紙に印刷する印刷装置とからなる画像形成システムにおいて、日付印字機能と合紙印刷モードとを有し、上記日付印字機能と上記合紙印刷モードとの設定値の組合せに基づいて合紙印刷ページの日付印字色と本文印刷ページの日付印字色を変更する手段を設けた画像形成システム。
【０００８】
【発明の実施の形態】
以下、この発明の実施形態を図面に基づいて具体的に説明する。
まず、この発明の画像形成システムの一実施形態であるデジタルカラー複写機における用語の意味と定義について説明する。
「画像読取装置」
デジタルカラー複写機で用いられる画像読取装置は、光源から発生させた光を原稿に照射し、その反射光を固体作像素子（ＣＣＤ）で電気信号に変換し、必要な画像処理を行って原稿の画像データを取得する機能を持った装置である。
「画像形成装置」
デジタルカラー複写機で用いられる画像形成装置は、電気信号で送られた画像データに基づいて原稿上の画像イメージを電子写真，感熱，熱転写，インクジェット等の印刷手段によって普通紙，感熱紙等の記録用紙に画像を形成して印刷する印刷装置である。
【０００９】
「拡張機能」又は「アプリケーション（「アプリ」と略称する）」
デジタルカラー複写機の大きな特徴に、原稿の画像を光学的に読み取って画像データ（電気信号）に変換し、その画像データに基づいて画像形成装置が記録用紙上に原稿の画像を復元して印刷するプリント機能がある。この時、読み取った画像データを様々に変化，伝達する手段を持つことにより、公衆回線を介してファクシミリ送信するファクシミリ（ＦＡＸ）機能もある。このようにプリンタ，ＦＡＸ以外にスキャナ，ファイルシステム等応用範囲は非常に広く、デジタル複写機以外の分野に応用可能になる。これらの拡張機能を「アプリケーション」と表現する。
「ビデオ信号」
画像読取装置で変換された画像の電気信号、画像形成装置へ入力される画像の電気信号、及び画像の電気信号と同期を取るための信号をまとめてビデオ信号と表現する。
【００１０】
「制御信号」「コマンド」
画像読取装置，画像形成装置，アプリケーション間でビデオ信号をやり取りするためには、各装置間で情報を伝達し合う必要がある。その伝達手段を制御信号又はコマンド発行と表現する。
「システム」「システム制御」「システムコントローラ」
最近のデジタルカラー複写機では、アプリを１つ登載するのみでなく複数アプリを同時登載するようになってきた。このように、一つの資源を共有するデジタルカラー複写機をシステムと表現し、そのシステムを制御するコントローラをシステム制御又はシステムコントローラと表現する。
「資源」又は「リソース」
複数のアプリから共有される機能ユニット単位を資源又はリソースと表現する。上記システムコントローラはリソース単位でシステム制御を行っている。この実施形態のデジタルカラー複写機で管理している資源は、画像読取装置，画像形成装置，操作部，メモリ，周辺機（ＤＦ＝原稿仕送り装置，ソーター等）がある。
【００１１】
「初期設定」
よく使用する条件に合わせて各機能の初期設定値を変更したり、操作の条件を設定すること。
初期設定にはデジタルカラー複写機のシステム全般の機能の設定を行う「システム初期設定」とコピーモードの機能の設定に限定した「コピー初期設定」とファクシミリモードの機能の設定に限定した「ファックス初期設定」等がある。
例えば、「システム初期設定」にはキー操作後、一定時間何も操作を行わなかったときに電源を入れたときの状態に戻す「オートクリア時間の設定」等があり、「コピー初期設定」にはセットできるコピー枚数の上限を変更する「コピーセット枚数制限の設定」や、「片面→両面」コピーで裏面の左とじ代幅の設定が可能な「両面コピー左とじ幅」等がある。
【００１２】
また、ページ印字が選択された場合、転写紙に対して右上，右下，中央下などのページを印字する場所や、スタンプ印字が選択された場合、スタンプの大きさ，透かしの有無等の設定をこのモードによって可能にしている場合もある。
「暗証コード」／「ユーザーコード」
暗証コード（ユーザーコード）を設定すると特定の操作者だけがこのデジタルカラー複写機を使用することが可能になったり、部門毎のコピー使用量を管理することができる。
「自動カラー選択」／「ＡＣＳ（＝Ａｕｔｏ　Ｃｏｌｏｒ　Ｓｅｌｅｃｔ）」
原稿の色を自動的に判断してフルカラー又は白黒モードのいずれかでコピーする。
【００１３】
次に、この発明の画像形成システムの一実施形態であるデジタルカラー複写機の基本構成について説明する。
図１は、この発明の画像形成システムの一実施形態であるデジタルカラー複写機の主にエンジン部の概略構成を示すブロック図である。
［作像動作の説明］
図１に示すとおり、このデジタルカラー複写機は、シートスルータイプの原稿自動送り装置（以下「ＡＤＦ」という）１を有し、中間転写ベルト５１に同時に小サイズ（この実施形態の場合は２１６ｍｍ以下）の場合は２面分の画像転写を行うことができ、大サイズ（２１７ｍｍ超）の場合は１面分のみの画像転写を行うことができる。また、上記ＡＤＦ１の他に原稿読取装置２と画像書き込みユニット３と画像形成ユニット４と１次転写ユニット５と２次転写ユニット６及び定着ユニット７を有する。
【００１４】
ＡＤＦ１は、読み取る原稿を原稿読取装置２内に原稿をユーザが所望する複写倍率にあった速度で送って原稿の画像を読み取る。
原稿読取装置２は、光源と複数のミラーを有するキャリッジ２１とレンズ２２とＣＣＤ２３及びバッファ２４を有し、ＡＤＦ１で送られた原稿を走査してフルカラーモード，モノクロモード，シングルカラーモード，２色モードによってそれぞれ原稿の画像を読み取り、その読み取ったイエロー，マゼンタ，シアン，ブラックの各色毎の画像データ（画像情報）を後述するコントローラのメモリに転送する。
画像書き込みユニット３は、レーザ光源やポリゴンミラーなどを有し、画像データを含むレーザビーム３１を画像形成ユニット４に送る。
【００１５】
画像形成ユニット４は、感光体４１の周囲に配置された帯電チャージャ４２と画像書き込みユニット３からのレーザビーム３１の照射部とブラック（Ｋ），シアン（Ｃ），マゼンダ（Ｍ），イエロー（Ｙ）からなる回転式または固定式のカラー現像部４３及びドラムクリーニング部４４を有し、レーザビーム３１により感光体４１上に静電潜像を形成し、その形成した静電潜像をカラー現像部４３で可視可してトナー像を形成する。
１次転写ユニット５は、中間転写ベルト５１と１次転写部５２とテンションローラ５３と２本の２次転写ローラ５４，５５及びクリーニング部５６を有し、感光体４１に形成されたトナー像を中間転写ベルト５１に１次転写する。
【００１６】
中間転写ベルト５１は、同時に２面分のトナー像を転写できるようになっている。この中間転写ベルト５１は感光体４１上のトナー像を１次転写するとき以外は図示を省略した接離機構によって感光体４１の表面から離れ、中間転写ベルト５１に１次転写するときだけ感光体４１表面に圧接される。
２次転写ユニット６は、中間転写ベルト５１に転写されたトナー像を転写材に２次転写する。このデジタルカラー複写機では、フルカラーコピー時の作像色の順番は、イエロー（Ｙ）→マゼンダ（Ｍ）→シアン（Ｃ）→ブラック（Ｋ）の順にしている。
【００１７】
図２は、イエロー（Ｙ），マゼンダ（Ｍ），シアン（Ｃ），ブラック（Ｋ）を使用して他色を作像する色の概念を示した説明図である。
例えば、グリーンはイエロー（Ｙ）とシアン（Ｃ）の重ね合わせによって、レッドはイエロー（Ｙ）とマゼンダ（Ｍ）の重ね合わせによって、ブルーはマゼンダ（Ｍ）とシアン（Ｃ）の重ね合わせによって可視化される。
【００１８】
図３は、この発明の画像形成システムの一実施形態であるデジタルカラー複写機の主に画像書き込みユニットの制御部の概略構成を示すブロック図である。
図４は、原稿読取装置２からメモリ１２に画像データを転送する処理の説明図である。
図３中の原稿読取装置（スキャナユニット）２の読み取り・スキャナ制御部は、フルカラーモード，モノクロモード，シングルカラーモード，２色モードによってそれぞれ原稿の画像を読み取る制御を司る。
プリンタエンジン９は、上述した画像形成ユニット４，１次転写ユニット５，２次転写ユニット６，定着ユニット７からなり、転送された各色毎の画像データに基づいて原稿の画像を形成する画像形成装置と、その形成された画像を記録紙に印刷する印刷装置の機能を果たす。
【００１９】
操作部８は、オペレータがフルカラーモード，モノクロモード，シングルカラーモード，２色モード等のモード設定や各種の操作情報を入力する入力装置である。ＩＰＵ１６は画像処理装置であり、各種フィルタ処理などを行う。また、図示を省略したが、読み取った原稿がカラー原稿であるか否かの判断を行うカラー判定装置もある。
コントローラ１０は、マザーボード１５を介して接続するＩＰＵ１６で各種の処理を施された画像データを蓄積し、それをプリンタエンジン９へ画像転送を行うためのメモリ（画像メモリ，システムメモリ）１２と、各種の制御のための制御プログラムを格納したプログラムＲＯＭ１１と、オプションで増設するハードディスクドライブ（ＨＤＤ）１３と、日時を計測するリアルタイムクロック（Ｒｅａｌ　Ｔｉｍｅ　Ｃｌｏｃｋ：ＲＴＣ）１４から構成される。そして、メモリ１２に記憶された各色毎の画像データを各色毎にプリンタエンジンへ転送する転送装置の機能も果たす。
【００２０】
原稿読取装置２とＩＰＵ１６，コントローラ１０，プリンタエンジン９はコマンド通信も可能な画像バスで接続される。
原稿読取装置２からのＹ，Ｍ，Ｃ，Ｋ成分の画像データは同時に読み取られ、ビデオバスを介してコントローラ１０のメモリ１２に転送されるが、その場合は読み取り１ライン毎に線順次（ライン順次）によってＹ，Ｍ，Ｃ，Ｋの１ラインデータがコントローラ１０のメモリ１２内の各プレーンデータ格納用のメモリ空間に記憶される。
【００２１】
図４に示すように、コントローラ１０のメモリ１２内のイエロー（Ｙ）格納領域（イエロー用のプレーンデータ格納用のメモリ空間）にＹ成分（Ｙの１ラインデータ）を書き込み、マゼンタ（Ｍ）格納領域（マゼンタ用のプレーンデータ格納用のメモリ空間）にＭ成分（Ｍの１ラインデータ）を書き込み、シアン（Ｃ）格納領域（シアン用のプレーンデータ格納用のメモリ空間）にＣ成分（Ｃの１ラインデータ）を書き込み、ブラック（Ｋ）格納領域（ブラック用のプレーンデータ格納用のメモリ空間）にＫ成分（Ｋの１ラインデータ）を書き込む。
すなわち、メモリ１２は原稿読取装置２によって読み取った画像をイエロー，マゼンタ，シアン，ブラックの各色毎の画像データで記憶する画像記憶装置である。
【００２２】
以下の説明では、コピー読み取り画像の解像度を１ピクセル＝６００ｄｐｉ／２値データとするが、その量子化については特に限定しない。
例えば、１ピクセル＝６００ｄｐｉ／８ビット階調とした場合は、単純に８倍となるだけである。
上記前提の場合、Ａ３サイズ（４２０ｍｍ×２９７ｍｍ）の各色毎（Ｙ，Ｍ，Ｃ，Ｋ）に必要となる画像メモリ量は、｛４２０（ｍｍ）ｘ６００（ｄｐｉ）／２５．４（ｍｍ）｝ｘ｛２９７（ｍｍ）ｘ６００（ｄｐｉ）／２５．４（ｍｍ）｝＝６９６０５０５９（ｄｏｔ）、画像データとしては１バイト＝８ｄｏｔ（ｂｉｔ）で有ることより、６９６０５０５９／８＝８７００６３２（ｂｙｔｅ）＝８．７（Ｍｂｙｔｅ）になる（これを１プレーン当たりの画像メモリとする）。
【００２３】
次に、このデジタルカラー複写機で実施されるカラーモードの処理について説明する。
図５は、このデジタルカラー複写機で実施するシングルカラーコピーの処理の説明図である。
図６は、このデジタルカラー複写機で実施する２色カラーコピーの処理の説明図である。
【００２４】
｛シングルカラーコピー｝
図５に示すとおり、原稿を指定された１色でコピーするモードである。
同じシングルカラーでもイエロー，マゼンタ，シアン，ブラックは１色のトナーでコピーするが、例えば、レッド，グリーン，ブルーは２色のトナーを使用してコピーする。色の変換は、図３に示したＩＰＵ１６で原稿読み取り時に行う。従って、コントローラ１０は、シングルカラーコピーでＹ，Ｍ，Ｃ，Ｋのいずれか１色でコピーを行う場合、メモリ１２の画像メモリとしてプレーンデータ格納用のメモリ空間を１空間（１プレーン）使用することになるが、それ以外の色にてコピーを行う際にはプレーンデータ格納用のメモリ空間を２空間（２プレーン）使用することになる。
【００２５】
｛２色カラーコピー｝
図６に示すとおり、原稿をブラックと指定された色の２色でコピーするモードであり、図中に▲１▼、▲２▼の色で示すとおり、原稿の「黒部分以外」を▲１▼の色に変更、原稿の「黒部分」を▲２▼の色に変更することが可能である。
同じ２色カラーでもイエロー，マゼンタ，シアン，ブラックのみの出力色で２色コピーが指定された場合は、２色のトナーでコピーするが、組み合わせによってはＹ，Ｍ，Ｃ，Ｋのトナーを２色，３色或いは４色のトナーを使用することになる。
【００２６】
例えば、レッド，グリーン，ブルーは２色のトナーを使用してコピーする。従って、コントローラ１０は、Ｙ，Ｍ，Ｃ，Ｋのいずれか２色でコピーを行う場合、メモリ１２の画像メモリとしてプレーンデータ格納用のメモリ空間を２プレーン使用することになるが、それ以外の色によってコピーを行う際には３プレーン或いは４プレーンを使用することになる。色の変換は、図３に示したＩＰＵ１６で原稿読み取り時に行う。
【００２７】
｛フルカラーコピー｝
特に図示はしないが、フルカラー原稿をフルカラーで出力するコピーモードである。この場合、基本的に作像色が４色によってフルカラー出力することになるので、コントローラ１０は、メモリ１２の画像メモリとしてプレーンデータ格納用のメモリ空間を４プレーン使用することになる。
【００２８】
次に、このデジタルカラー複写機のスタンプ印字機能について説明する。
スタンプ印字機能とは、原稿から読み取った画像の画像データに対して特定のスタンプの画像データ（スタンプイメージ）を合成して印字するモードである。スタンプの種類としては、「回覧」「複写厳禁」「至急」「親展」等がある。その各スタンプはそれぞれビットマップデータで構成されているので、ユーザ，デジタルカラー複写機のニーズに合わせて記憶するビットマップデータの種類を変えればよい。
【００２９】
図７は、スタンプ印字の制御処理の説明図である。
スタンプ印字モードで「複写厳禁」をスタンプする印刷を開始した場合、▲１▼オプションＨＤＤ１３もしくは図示を省略したＲＯＭに予め記憶されている「複写厳禁」の画像データ（ビットマップデータ）を読み出してコントローラ１０のメモリ１２上に展開し、▲２▼原稿読取装置２による原稿の画像の読み取りを開始し、▲３▼原稿の画像の読み取りと画像データの転送の終了を待ち、▲４▼原稿の画像データに「複写厳禁」の画像データを重ね合わせる合成の処理を施し、▲５▼合成処理後にプリンタエンジンにビデオ（画像）出力する処理を順次行って、印刷ページにスタンプ印字を行う。
【００３０】
次に、このデジタルカラー複写機のページ印字機能について説明する。
ページ印字機能とは、原稿から読み取った画像の画像データに対してページ番号の画像を合成して印字するモードである。
図８は、ページ印字の説明図である。
例えば、５枚の原稿の各画像に対してそれぞれｐ．１〜ｐ．５の各ページ番号を連続して出力する。そのページ番号の印字の種類としては、「−１−」「−ｐ．１−」「１／１０」等がある。
このページ印字用の画像データは、ビットマップデータで構成されているので、印字するフォントイメージなどはユーザ，デジタルカラー複写機のニーズに合わせて記憶するビットマップデータの種類を変えればよい。
【００３１】
図９は、ページ印字の制御処理の説明図である。
ページ印字モードで「−ｐ．１−」形式でページ印刷を開始した場合、▲１▼オプションＨＤＤ１３もしくは図示を省略したＲＯＭに予め記憶されているページ印字データ（「−ｐ．１−」形式の画像データ）を読み出してコントローラ１０のメモリ１２上に展開し、▲２▼原稿読取装置２による原稿の画像の読み取りを開始し、▲３▼原稿の画像の読み取りと画像データの転送の終了を待ち、▲４▼原稿の画像データにページの画像データ（ビットマップデータ）を重ね合わせる合成の処理をと施し、▲５▼合成処理後にプリンタエンジンにビデオ（画像）出力する処理を順次行って、印刷ページにページ印刷を行う。
【００３２】
次に、このデジタルカラー複写機の日付印字機能について説明する。
日付印字機能とは、読み取った原稿の画像データに対して現在（コピーを開始した時）の日付を付加して印字するモードである。
日付の種類としては、「ＹＹＹＹ．ＭＭ．ＤＤ」「ＹＹ．ＭＭ．ＤＤ」「ＹＹＭＭ／ＤＤ」（ＹＹ，ＹＹＹＹは年，ＭＭは月，ＤＤは日を表す）等がある。
【００３３】
図１０は、日付印字の制御処理の説明図である。
▲１▼この日付データは、図３に示したコントローラ１０内のＲＴＣ１４から取得可能であり、その日付データをビットマップデータとしてコントローラ１０のメモリ１２上に展開し、▲２▼原稿読取装置２による原稿の画像の読み取りを開始し、▲３▼原稿の画像の読み取りと画像データの転送の終了を待ち、▲４▼原稿の画像データに上記日付データの画像データ（ビットマップデータ）を重ね合わせる合成の処理を施し、▲５▼合成処理後にプリンタエンジンにビデオ（画像）出力する処理を順次行って、印刷ページに日付印字を行う。
【００３４】
次に、このデジタルカラー複写機の合紙印刷モードについて説明する。
図１１は、合紙印刷モードの説明図である。
合紙印刷モードは、原稿のコピーに対して同じ画像を合紙用の用紙にコピーするモードである。特に、ＯＨＰに対して複写を行うときに、原稿のそれぞれの印刷結果（本文）に対して合紙を挿入するケースがある（以下、最初に印刷されるコピーを本文印刷、合紙給紙段から給紙されたコピーを合紙印刷と称する）。
操作としては、本文を印刷する記録紙をセットして印刷時に給紙する給紙段と合紙をセットして印刷時に給紙する合紙段との２つを選択する。特に合紙段には操作性を向上させるために本文とは異なる色紙等が用いられるケースが多い。
【００３５】
次に、このデジタルカラー複写機におけるこの発明の請求項１に係る合紙印刷モード時に本文印刷と合紙印刷に対してそれぞれ独立にスタンプ色を指定してスタンプ印字する機能について説明する。
コントローラ１０は、操作部８によって合紙印刷モードが選ばれたとき、本文印刷と合紙印刷に対してそれぞれ独立に指定されたスタンプ色でスタンプ印字する処理を行う。
【００３６】
それぞれのスタンプ印字のスタンプ色は、操作部８によって下記表１に示すＹ（イエロー），Ｍ（マゼンタ），Ｃ（シアン），Ｋ（ブラック），Ｒ（レッド），Ｇ（グリーン），Ｂ（ブルー）の７色の中から任意の１色を選択可能とする。その選択された色に応じてメモリ１２中の画像メモリの各プレーンデータ格納用のメモリ空間に格納された画像データに対してスタンプデータを合成することになる（すなわち、上述の図７を用いて説明したスタンプ印字の制御に応じて印字データを付加する）。
【００３７】
【表１】
2004102501.tif 000003
【００３８】
なお、指定されたスタンプ色を実現するためのフレーム（スタンプデータ格納領域）が、指定されたカラーモードを実現するために必要なフレームに含まれない場合、別途そのスタンプのみを描画するフレームを設定する必要がある。
一方、指定されたスタンプ色を実現するためのフレームが、指定されたカラーモードを実現するために必要なフレームに含まれる場合、指定されたカラーモードで用意されたフレームに対して処理（合成）を行うので、別途そのスタンプのみを描画するフレームを設定する必要はない。
【００３９】
例えば、本文印刷に対するスタンプ印字をレッドに、合紙印刷に対するスタンプ印字をイエローにそれぞれ選択した場合、本文印刷時は原稿の画像データのイエローとマゼンタの各プレーンデータ格納用のメモリ空間にそれぞれスタンプデータを重ね合わせて合成し、合紙印刷時は原稿の画像データのイエローのプレーンデータ格納用のメモリ空間にスタンプデータを重ね合わせて合成する。
すなわち、コントローラ１０が、スタンプ印字機能と合紙印刷モードを有し、スタンプ印字機能と合紙印刷モードとの設定値の組合せに基づいて合紙印刷ページを含めて全ページともスタンプ印字を行う場合、合紙印刷ページのスタンプ印字色と本文印刷ページのスタンプ印字色を変更する手段の機能を果たす。
【００４０】
図１２は、合紙印刷モード時に本文印刷と合紙印刷に対してそれぞれ独立にスタンプ色を指定して印字する処理のフローチャート図である。
コントローラ１０は、ステップ（図中「Ｓ」で示す）１で画像メモリを必要なプレーン（プレーンデータ格納用のメモリ空間）数だけ確保し、ステップ２で確保した各画像メモリをクリア（初期化）し、ステップ３で原稿の画像の読み取りを実行し、本文印刷＝未終了を設定し、ステップ４で本文印刷＝終了か否かを判断し、本文印刷＝終了でなければ、ステップ８へ進んで原稿から読み取った画像データの各プレーンデータ格納用のメモリ空間に対して予め指定された本文印刷用のスタンプ印字色に必要なプレーンデータ格納用のメモリ空間にスタンプ印字データを合成し、ステップ９で本文印刷用の記録紙がセットされた本文給紙段から記録紙を給紙し、その記録紙に本文とスタンプからなる画像を作像して印刷し、上記設定を本文印刷＝終了に変更してステップ４へ戻る。
【００４１】
ステップ４の判断で今度は本文印刷＝終了なので、ステップ５へ進んで原稿から読み取った画像データの各プレーンデータ格納用のメモリ空間に対して予め指定された合紙印刷用のスタンプ印字色に必要なプレーンデータ格納用のメモリ空間にスタンプ印字データを合成し、ステップ６で合紙印刷用の記録紙がセットされた合紙給紙段から記録紙を給紙し、その記録紙に本文とスタンプからなる画像を作像して印刷し、ステップ７で全ページの原稿の読み取りが終了したか否かを判断し、終了しなければステップ２へ戻って上述の処理を繰り返し、このようにして、スタンプ付き本文とスタンプ付き合紙の印刷を交互に繰り返して全てのページの読み取りが終了したら、この処理を終了する。
【００４２】
図１３は、合紙印刷モード時に本文印刷と合紙印刷に対してそれぞれ独立にスタンプ色を指定して印字した結果の一例を示す図である。
例えば、本文の各ページの右下あたりにレッド（赤色）で秘密書類であることを示す丸秘のスタンプを印字し、合紙の各ページの右下あたりにブラック（黒色）で秘密書類であることを示す丸秘のスタンプを印字した場合を示している。
このようにして、スタンプ印字機能と合紙印刷モードの設定値の組合せにより、合紙印刷のスタンプと本文印刷のスタンプの印字色を変更することが可能なので、ユーザが所望する印刷結果が得られる効果がある。
【００４３】
次に、このデジタルカラー複写機におけるこの発明の請求項２に係る合紙印刷モード時に本文印刷と合紙印刷に対してそれぞれ独立にページ番号色を指定してページ印字する機能について説明する。
コントローラ１０は、操作部８によって合紙印刷モードが選ばれたとき、本文印刷と合紙印刷に対してそれぞれ独立に指定されたページ番号色でページ番号を印字する処理を行う。
【００４４】
それぞれのページ番号印字色は、操作部８によって下記表２に示すＹ（イエロー），Ｍ（マゼンタ），Ｃ（シアン），Ｋ（ブラック），Ｒ（レッド），Ｇ（グリーン），Ｂ（ブルー）の７色の中から任意の１色を選択可能とする。
その選択された色に応じてメモリ１２中の画像メモリの各プレーンデータ格納用のメモリ空間に格納された画像データに対してページ印字データを合成することになる（すなわち、上述の図８を用いて説明したページ印字の制御に応じて印字データを付加する）。
【００４５】
【表２】
2004102501.tif 000004
【００４６】
なお、指定されたページ印字の色を実現するためのフレーム（ページ印字データ格納領域）が、指定されたカラーモードを実現するために必要なフレームに含まれない場合、別途そのページ印字のみを描画するフレームを設定する必要がある。
一方、指定されたページ印字の色を実現するためのフレームが、指定されたカラーモードを実現するために必要なフレームに含まる場合、指定されたカラーモードで用意されたフレームに対して処理（合成）を行うので、別途そのページ印字のみを描画するフレームを設定する必要はない。
【００４７】
例えば、本文印刷に対するページ印字をレッドに、合紙印刷に対するページ印字をイエローにそれぞれ選択した場合、本文印刷時は原稿の画像データのイエローとマゼンタの各プレーンデータ格納用のメモリ空間にそれぞれページ印字データを重ね合わせて合成し、合紙印刷時は原稿の画像データのイエローのプレーンデータ格納用のメモリ空間にページ印字データを重ね合わせて合成する。
すなわち、コントローラ１０が、ページ印字機能と合紙印刷モードを有し、ページ印字機能と合紙印刷モードとの設定値の組合せに基づいて合紙印刷ページのページ印字色と本文印刷ページのページ印字色を変更する手段の機能を果たす。
【００４８】
図１４は、合紙印刷モード時に本文印刷と合紙印刷に対してそれぞれ独立にページ番号色を指定して印字する処理のフローチャート図である。
コントローラ１０は、ステップ（図中「Ｓ」で示す）１１で画像メモリを必要なプレーン（プレーンデータ格納用のメモリ空間）数だけ確保し、ステップ１２で確保した各画像メモリをクリア（初期化）し、ステップ１３で原稿の画像の読み取りを実行し、本文印刷＝未終了を設定し、ステップ１４で本文印刷＝終了か否かを判断し、本文印刷＝終了でなければ、ステップ１８へ進んで原稿から読み取った画像データの各プレーンデータ格納用のメモリ空間に対して予め指定された本文印刷用のページ印字色に必要なプレーンデータ格納用のメモリ空間にページ印字データを合成し、ステップ１９で本文印刷用の記録紙がセットされた本文給紙段から記録紙を給紙し、その記録紙に本文とページ番号からなる画像を作像して印刷し、上記設定を本文印刷＝終了に変更してステップ１４へ戻る。
【００４９】
ステップ１４の判断で今度は本文印刷＝終了なので、ステップ１５へ進んで原稿から読み取った画像データの各プレーンデータ格納用のメモリ空間に対して予め指定された合紙印刷用のページ印字色に必要なプレーンデータ格納用のメモリ空間にページ印字データを合成し、ステップ１６で合紙印刷用の記録紙がセットされた合紙給紙段から記録紙を給紙し、その記録紙に本文とページ番号からなる画像を作像して印刷し、ステップ１７で全ページの原稿の読み取りが終了したか否かを判断し、終了しなければステップ１２へ戻って上述の処理を繰り返し、このようにして、ページ番号付き本文とページ番号付き合紙の印刷を交互に繰り返して全てのページの読み取りが終了したら、この処理を終了する。
【００５０】
図１５は、合紙印刷モード時に本文印刷と合紙印刷に対してそれぞれ独立にページ色を指定してページ印字した結果の一例を示す図である。
例えば、本文の各ページの右下の余白にレッド（赤色）でそれぞれのページ番号（−Ｐ１−，−Ｐ２−，−Ｐ３−，・・・）を印字し、合紙の各ページの右下の余白にブラック（黒色）でそれぞれのページ番号（−Ｐ１−，−Ｐ２−，−Ｐ３−，・・・）を印字した場合を示している。
このようにして、ページ印字機能と合紙印刷モードの設定値の組合せにより、合紙印刷のページ印字色と本文印刷のページ印字色を変更することが可能なので、ユーザが所望する印刷結果を得られる効果がある。
【００５１】
次に、このデジタルカラー複写機におけるこの発明の請求項３に係る合紙印刷モード時に本文印刷と合紙印刷に対してそれぞれ独立に日付印字色を指定して日付印字する機能について説明する。
コントローラ１０は、操作部８によって合紙印刷モードが選ばれたとき、本文印刷と合紙印刷に対してそれぞれ独立に指定された日付印字色で日付を印字する処理を行う。
【００５２】
それぞれの日付印字色は、操作部８によって下記表３に示すＹ（イエロー），Ｍ（マゼンタ），Ｃ（シアン），Ｋ（ブラック），Ｒ（レッド），Ｇ（グリーン），Ｂ（ブルー）の７色の中から任意の１色を選択可能とする。
その選択された色に応じてメモリ１２中の画像メモリの各プレーンデータ格納用のメモリ空間に格納された画像データに対して日付印字データを合成することになる（すなわち、上述の図１０を用いて説明した日付印字の制御に応じて印字データを付加する）。
【００５３】
【表３】
2004102501.tif 000005
【００５４】
なお、指定された日付印字の色を実現するためのフレームが、指定されたカラーモードを実現するために必要なフレームに含まれない場合、別途その日付印字のみを描画するフレームを設定する必要がある。
一方、指定された日付印字の色を実現するためのフレームが、指定されたカラーモードを実現するために必要なフレームに含まる場合、指定されたカラーモードで用意されたフレームに対して処理（合成）を行うので、別途その日付印字のみを描画するフレームを設定する必要はない。
【００５５】
例えば、本文印刷に対する日付印字をレッドに、合紙印刷に対する日付印字をイエローにそれぞれ選択した場合、本文印刷時は原稿の画像データのイエローとマゼンタの各プレーンデータ格納用のメモリ空間にそれぞれ日付印字データを重ね合わせて合成し、合紙印刷時は原稿の画像データのイエローのプレーンデータ格納用のメモリ空間に日付印字データを重ね合わせて合成する。
すなわち、コントローラ１０が、日付印字機能と合紙印刷モードを有し、日付印字機能と合紙印刷モードとの設定値の組合せに基づいて合紙印刷ページの日付印字色と本文印刷ページの日付印字色を変更する手段の機能を果たす。
【００５６】
図１６は、合紙印刷モード時に本文印刷と合紙印刷に対してそれぞれ独立に日付印字色を指定して印字する処理のフローチャート図である。
コントローラ１０は、ステップ（図中「Ｓ」で示す）２１で画像メモリを必要なプレーン（プレーンデータ格納用のメモリ空間）数だけ確保し、ステップ２２で確保した各画像メモリをクリア（初期化）し、ステップ２３で原稿の画像の読み取りを実行し、本文印刷＝未終了を設定し、ステップ２４で本文印刷＝終了か否かを判断し、本文印刷＝終了でなければ、ステップ２８へ進んで原稿から読み取った画像データの各プレーンデータ格納用のメモリ空間に対して予め指定された本文印刷用の日付印字色に必要なプレーンデータ格納用のメモリ空間に日付印字データを合成し、ステップ２９で本文印刷用の記録紙がセットされた本文給紙段から記録紙を給紙し、その記録紙に本文と日付からなる画像を作像して印刷し、上記設定を本文印刷＝終了に変更してステップ２４へ戻る。
【００５７】
ステップ２４の判断で今度は本文印刷＝終了なので、ステップ２５へ進んで原稿から読み取った画像データの各プレーンデータ格納用のメモリ空間に対して予め指定された合紙印刷用の日付印字色に必要なプレーンデータ格納用のメモリ空間に日付印字データを合成し、ステップ２６で合紙印刷用の記録紙がセットされた合紙給紙段から記録紙を給紙し、その記録紙に本文と日付からなる画像を作像して印刷し、ステップ２７で全ページの原稿の読み取りが終了したか否かを判断し、終了しなければステップ２２へ戻って上述の処理を繰り返し、このようにして、日付付き本文と日付付き合紙の印刷を交互に繰り返して全てのページの読み取りが終了したら、この処理を終了する。
【００５８】
図１７は、合紙印刷モード時に本文印刷と合紙印刷に対してそれぞれ独立に日付印字色を指定して日付印字した結果の一例を示す図である。
例えば、本文の各ページの右下の余白にレッド（赤色）で日付（２００２．１．１）を印字し、合紙の各ページの右下の余白にブラック（黒色）で日付（２００２．１．１）を印字した場合を示している。
このようにして、日付印字機能と合紙印刷モードの設定値の組合せにより、合紙印刷の日付印字色と本文印刷の日付印字色を変更することが可能なので、ユーザが所望する印刷結果を得られる効果がある。
【００５９】
【発明の効果】
以上説明してきたように、この発明の画像形成システムによれば、合紙印刷モードのときに本文印刷のページと合紙印刷のページにそれぞれ異なる色のスタンプ，ページ番号，日付等の付加情報を印字することができる。
【図面の簡単な説明】
【図１】この発明の画像形成システムの一実施形態であるデジタルカラー複写機の主にエンジン部の概略構成を示すブロック図である。
【図２】イエロー（Ｙ），マゼンダ（Ｍ），シアン（Ｃ），ブラック（Ｋ）を使用して他色を作像する色の概念を示した説明図である。
【図３】この発明の画像形成システムの一実施形態であるデジタルカラー複写機の主に画像書き込みユニットの制御部の概略構成を示すブロック図である。
【図４】この実施形態のデジタルカラー複写機の原稿読取装置２からメモリ１２に画像データを転送する処理の説明図である。
【図５】この実施形態のデジタルカラー複写機で実施するシングルカラーコピーの処理の説明図である。
【図６】この実施形態のデジタルカラー複写機で実施する２色カラーコピーの処理の説明図である。
【図７】この実施形態のデジタルカラー複写機のスタンプ印字の制御処理の説明図である。
【図８】この実施形態のデジタルカラー複写機のページ印字の説明図である。
【図９】この実施形態のデジタルカラー複写機のページ印字の制御処理の説明図である。
【図１０】この実施形態のデジタルカラー複写機の日付印字の制御処理の説明図である。
【図１１】この実施形態のデジタルカラー複写機の合紙印刷モードの説明図である。
【図１２】この実施形態のデジタルカラー複写機が合紙印刷モード時に本文印刷と合紙印刷にそれぞれ独立にスタンプ色を指定して印字する処理のフローチャート図である。
【図１３】この実施形態のデジタルカラー複写機が合紙印刷モード時に本文印刷と合紙印刷にそれぞれ独立にスタンプ色を指定して印字した結果の一例を示す図である。
【図１４】この実施形態のデジタルカラー複写機が合紙印刷モード時に本文印刷と合紙印刷にそれぞれ独立にページ番号色を指定して印字する処理のフローチャート図である。
【図１５】この実施形態のデジタルカラー複写機が合紙印刷モード時に本文印刷と合紙印刷にそれぞれ独立にページ番号色を指定して印字した結果の一例を示す図である。
【図１６】この実施形態のデジタルカラー複写機が合紙印刷モード時に本文印刷と合紙印刷にそれぞれ独立に日付印字色を指定して印字する処理のフローチャート図である。
【図１７】この実施形態のデジタルカラー複写機が合紙印刷モード時に本文印刷と合紙印刷にそれぞれ独立に日付印字色を指定して印字した結果の一例を示す図である。
【符号の説明】
１：原稿自動送り装置　　　２：原稿読取装置
３：画像書き込みユニット　４：画像形成ユニット
５：１次転写ユニット　　　６：２次転写ユニット
７：定着ユニット　　　　　８：操作部
９：プリンタエンジン　　　１０：コントローラ
１１：プログラムＲＯＭ　　１２：メモリ
１３：ハードディスクドライブ
１４：リアルタイムクロック
１５：マザーボード　　　　１６：ＩＰＵ
２１：キャリッジ　　　　　２２：レンズ
２３：ＣＣＤ　　　　　　　２４：バッファ
３１：レーザビーム　　　　４１：感光体
４２：帯電チャージャ　　　４３：カラー現像部
４４：ドラムクリーニング部
５１：中間転写ベルト　　　５２：１次転写部
５３：テンションローラ　　５４，５５：２次転写ローラ
５６：クリーニング部
【図１】
2004102501.tif 000006
【図２】
2004102501.tif 000007
【図３】
2004102501.tif 000008
【図４】
2004102501.tif 000009
【図５】
2004102501.tif 000010
【図６】
2004102501.tif 000011
【図７】
2004102501.tif 000012
【図８】
2004102501.tif 000013
【図９】
2004102501.tif 000014
【図１０】
2004102501.tif 000015
【図１１】
2004102501.tif 000016
【図１２】
2004102501.tif 000017
【図１３】
2004102501.tif 000018
【図１４】
2004102501.tif 000019
【図１５】
2004102501.tif 000020
【図１６】
2004102501.tif 000021
【図１７】
2004102501.tif 000022